(57)【要約】【課題】移動通信システムにおけるデータ伝送のスループットを向上させることができる無線基地局装置およびデータ転送方法を提供すること。【解決手段】制御往復遅延時間測定部１１１は、送信部１１６から転送開始許可メッセージが送出される時から受信部１１７において無線ネットワーク制御装置１０２からのデータの受信が開始される時までの時間である制御往復遅延時間を測定する。データ転送レート測定部１１３は、無線基地局装置１０３から移動端末装置１０４へのデータ転送における下りデータ転送レートを測定する。データ転送条件設定部１１４は、前記制御往復遅延時間および前記下りデータ転送レートに基づいて無線ネットワーク制御装置１０２からのデータ転送におけるデータ転送量を制御するためのデータ転送制御条件を設定する。【選択図】      図１
2004200886.tif 000002
【特許請求の範囲】
【請求項１】
データの転送を要求するための制御信号を無線ネットワーク制御装置に送出し、送出される前記制御信号に基づいて前記無線ネットワーク制御装置から転送される前記データを受信して一時的に蓄積し、蓄積された前記データを移動端末装置に転送する無線基地局装置において、
前記制御信号が送出される時から前記制御信号に基づいて前記無線ネットワーク制御装置から転送される前記データを受信する時までの往復遅延時間である制御往復遅延時間を測定する時間測定手段と、
前記データの前記移動端末装置への転送における下りデータ転送レートを測定するレート測定手段と、
前記制御往復遅延時間および前記下りデータ転送レートに基づいて前記無線ネットワーク制御装置からの前記データの転送におけるデータ転送量を制御するためのデータ転送制御条件を設定する転送条件設定手段と、
を具備することを特徴とする無線基地局装置。
【請求項２】
前記転送条件設定手段は、
前記制御往復遅延時間および前記下りデータ転送レートに基づいて前記無線ネットワーク制御装置からの前記データの転送を停止するための前記データ転送制御条件の一つであるデータ転送停止用閾値を決定する停止用閾値決定手段を具備することを特徴とする請求項１記載の無線基地局装置。
【請求項３】
前記転送条件設定手段は、
前記制御往復遅延時間および前記下りデータ転送レートに基づいて前記無線ネットワーク制御装置からの前記データの転送を再開するための前記データ転送制御条件の一つであるデータ転送再開用閾値を決定する再開用閾値決定手段を具備することを特徴とする請求項１または請求項２記載の無線基地局装置。
【請求項４】
データの転送を要求するための制御信号を無線ネットワーク制御装置に送出し、送出される前記制御信号に従って前記無線ネットワーク制御装置から転送される前記データを受信して一時的に蓄積し、蓄積された前記データを移動端末装置に転送する基地局装置におけるデータ転送方法において、
前記制御信号が送出される時から前記制御信号に従って前記無線ネットワーク制御装置から転送され蓄積された前記データを受信する時までの往復遅延時間である制御往復遅延時間を測定する時間測定ステップと、
前記データの前記移動端末装置への転送における下りデータ転送レートを測定するレート測定ステップと、
前記制御往復遅延時間および前記下りデータ転送レートに基づいて前記無線ネットワーク制御装置からの前記データの転送におけるデータ転送量を制御するためのデータ転送量制御条件を設定する転送条件設定ステップと、
を具備することを特徴とするデータ転送方法。
【発明の詳細な説明】
【０００１】
【発明の属する技術分野】
本発明は、下り有線リンク高速パケット伝送（ＨＳＤＰＡ： High Speed Downlink Packet Access）方式を適用した移動通信システムにおける無線基地局装置およびデータ転送方法に関する。
【０００２】
【従来の技術】
現在、移動通信システムにおいて高速パケット通信を実現できる伝送技術に関する検討が盛んに行われている。特に、ＩＭＴ−２０００（International Mobile Telecommunications - 2000）に代表される第３世代移動通信システムにおいて、たとえばＨＳＤＰＡ（High Speed Downlink Packet Access）などのように、ネットワークから移動端末装置方向の下り通信において従来の数百[kbps]に比べて十数倍のスループットを実現する下り有線リンク高速パケット伝送技術に関する検討が行われている。高速パケット伝送技術を実現するために、移動端末装置および無線基地局装置の間の無線区間における高速のデータ伝送技術に対応して、無線基地局装置および無線ネットワーク制御装置の間の有線区間におけるデータ伝送のスループットを向上できるフロー制御技術が強く求められている。
【０００３】
ここで、Ｉｕｂインタフェース、すなわち無線基地局装置および無線ネットワーク制御装置におけるフロー制御方式（たとえば非特許文献１参照）を用いる従来の移動通信システムについて図４および図５を参照しながら概説する。
【０００４】
図４は、従来の無線基地局装置を具備する移動通信システムの構成の一例を示すブロック図である。図４に示す移動通信システム４００は、コアネットワーク４０１、無線ネットワーク制御装置４０２、無線基地局装置４０３および移動端末装置４０４を具備している。無線基地局装置４０３は、制御パラメータ値設定部４１１、制御信号生成部４１２、送信部４１３、受信部４１４、データ処理部４１５、バッファ４１６、無線送信部４１７および無線受信部４１８を具備している。
【０００５】
コアネットワーク４０１は、無線ネットワーク制御装置４０２にデータを転送する。無線ネットワーク制御装置４０２は、コアネットワーク４０１からのデータを一時的に蓄積する。
【０００６】
無線ネットワーク制御装置４０２は、蓄積されたデータの転送の開始の許可を要求するための転送開始許可要求メッセージを生成して有線リンク４２１を介して無線基地局装置４０３に送出する。無線ネットワーク制御装置４０２は、送信部４１３からの転送開始許可メッセージに基づいて蓄積されたデータの無線基地局装置４０３への転送を開始する。また、無線ネットワーク制御装置４０２は、送信部４１３からの転送レート変更要求メッセージに基づいて蓄積されたデータの無線基地局装置４０３への転送におけるデータ転送レートを変更する。また、無線ネットワーク制御装置４０２は、送信部４１３からの転送停止要求メッセージに基づいて蓄積されたデータの無線基地局装置４０３への転送を停止する。また、無線ネットワーク制御装置４０２は、送信部４１３からの転送開始再開要求メッセージに基づいて蓄積されたデータの無線基地局装置４０３への転送を再開する。無線ネットワーク制御装置４０２に蓄積されたデータは、有線リンク４２１を介して無線基地局装置４０３に転送される。
【０００７】
無線基地局装置４０３において、パラメータ値設定部４１１は、転送開始許可メッセージ、転送停止要求メッセージおよび転送再開要求メッセージにおける制御パラメータ値として、１回のデータ転送処理において転送すべきデータの量を示すクレジット（Credits）値、当該データ転送処理を実行する時間間隔を示すインターバル（Interval）値および当該データ転送処理を実行する回数を示す反復期間（Repetition Period）値をそれぞれ設定する。そして、パラメータ値設定部４１１は、設定された制御パラメータ値を制御信号生成部４１２に出力する。
【０００８】
制御信号生成部４１２は、データ処理部４１５からの転送開始許可要求メッセージに基づいて、データの転送の開始を無線ネットワーク制御装置４０２に対して要求する時に、パラメータ値設定部４１１からの制御パラメータ値を有する制御信号である転送開始許可メッセージを生成して送信部４１３に出力する。また、制御信号生成部４１２は、無線ネットワーク制御装置４０２からのデータの転送におけるデータ転送レートの変更を無線ネットワーク制御装置４０２に対して要求する時に、パラメータ値設定部４１１からの制御パラメータ値を有する制御信号である転送レート変更要求メッセージを生成して送信部４１３に出力する。また、制御信号生成部４１２は、データの転送の停止を無線ネットワーク制御装置４０２に対して要求する時に、パラメータ値設定部４１１からの制御パラメータ値を有する制御信号である転送停止要求メッセージを生成して送信部４１３に出力する。また、制御信号生成部４１２は、データの転送の再開を無線ネットワーク制御装置４０２に対して要求する時に、パラメータ値設定部４１１からの制御パラメータ値を有する制御信号である転送再開要求メッセージを生成して送信部４１３に出力する。
【０００９】
送信部４１３は、制御信号生成部４１２からの転送開始許可メッセージ、転送レート変更要求メッセージ、転送停止要求メッセージおよび転送再開要求メッセージを、有線リンク４２１を介して無線ネットワーク制御装置４０２に送出する。
【００１０】
受信部４１４は、無線ネットワーク制御装置４０２から有線リンク４２１を介して送出される転送開始許可要求メッセージを受信して、データ処理部４１５に出力する。受信部４１４は、無線ネットワーク制御装置４０２から有線リンク４２１を介して転送されるデータを受信して、データ処理部４１５に出力する。
【００１１】
データ処理部４１５は、受信部４１４からの転送開始許可要求メッセージを制御信号生成部４１２に出力する。データ処理部４１５は、受信部４１４からのデータをバッファ４１６に書き込む。バッファ４１６は、データ処理部４１５によって書き込まれたデータを一時的に蓄積する。
【００１２】
無線送信部４１７は、バッファ４１６に蓄積されたデータを読み出す。そして、無線送信部４１７は、読み出されたデータを所定の制御情報に基づいて決定された下りデータ転送レートに基づいて無線リンク４２２を介して移動端末装置４０４に転送する。
【００１３】
無線受信部４１８は、無線リンク４２２を介して移動端末装置４０４からのデータを受信して、送信部４１３に出力する。また、無線受信部４１８は、下り転送レートを決定するための所定の制御情報を受信した場合に当該情報を無線送信部４１７に出力する。
【００１４】
図５は、従来の無線基地局装置４０３および無線ネットワーク制御装置４０２の動作の一例を説明するための図である。
【００１５】
まず、時刻ｔ０において、無線ネットワーク制御装置４０２は、移動端末装置４０４がデータ通信を開始することを認知する。そして、無線ネットワーク制御装置４０２は、転送開始許可要求メッセージを生成して無線基地局装置４０３に対して送出する。
【００１６】
そして、無線基地局装置４０３は、無線ネットワーク制御装置４０２からの転送開始許可メッセージを受信することにより移動端末装置４０４のデータ通信開始を認知する。そして、無線基地局装置４０３は、時刻ｔ１において制御パラメータ値（クレジット値、インターバル値および反復期間値）を設定する。そして、無線基地局装置４０３は、設定された制御パラメータ値を有する転送開始許可メッセージを生成して無線ネットワーク制御装置４０２に送出する。
【００１７】
無線ネットワーク制御装置４０２は、無線基地局装置４０３からの転送開始許可メッセージを受信すると、時刻ｔ２において、転送開始許可メッセージ内の制御パラメータ値に基づいて無線ネットワーク制御装置４０２に蓄積されたデータの転送を開始する。より具体的には、無線ネットワーク制御装置４０２は、１回のデータ転送処理においてクレジット値により指定された量のデータを転送する。また、無線ネットワーク制御装置４０２は、データ転送処理をインターバル値により指定された時間間隔で反復期間値により指定された回数だけ実行する。
【００１８】
無線基地局装置４０３は、時刻ｔ３において、無線ネットワーク制御装置４０２からのデータ転送におけるデータ転送レートを変更するために制御パラメータ値を設定する。そして、無線基地局装置４０３は、設定された制御パラメータ値を有する転送レート変更要求メッセージを生成して無線ネットワーク制御装置４０２に送出する。無線ネットワーク制御装置４０２は、無線基地局装置４０３からの転送レート変更要求メッセージを受信すると、時刻ｔ４において、転送レート変更要求メッセージ内の制御パラメータ値に基づいて無線ネットワーク制御装置４０２に蓄積されたデータの転送におけるデータ転送レートを変更する。
【００１９】
無線基地局装置４０３は、時刻ｔ５において、無線ネットワーク制御装置４０２からのデータ転送を停止させるために制御パラメータ値を設定する。そして、無線基地局装置４０３は、設定された制御パラメータ値を有する転送停止要求メッセージを生成して無線ネットワーク制御装置４０２に送出する。無線ネットワーク制御装置４０２は、無線基地局装置４０３からの転送停止要求メッセージを受信すると、時刻ｔ６において、転送停止要求メッセージ内の制御パラメータ値に基づいて無線ネットワーク制御装置４０２に蓄積されたデータの転送を停止する。
【００２０】
無線基地局装置４０３は、時刻ｔ７において、無線ネットワーク制御装置４０２からのデータ転送を再開させるために制御パラメータ値を設定する。そして、無線基地局装置４０３は、設定された制御パラメータ値を有する転送再開要求メッセージを生成して無線ネットワーク制御装置４０２に送出する。無線ネットワーク制御装置４０２は、無線基地局装置４０３からの転送再開要求メッセージを受信すると、時刻ｔ８において、転送再開要求メッセージ内の制御パラメータ値に基づいて無線ネットワーク制御装置４０２に蓄積されたデータの転送を再開する。
【００２１】
このように、無線基地局装置４０３は、目的に応じて設定された制御パラメータ値を有するメッセージを無線ネットワーク制御装置４０２に送出することにより無線ネットワーク制御装置４０２からのデータ転送におけるデータ転送量を制御していた。
【００２２】
【非特許文献１】
3GPP TR 25.877 V5.1.0 (2002-06): 3rd Generation Partnership Project; Technical specification Group Radio Access Network; High Speed Downlink Packet Access: Iub/Iur protocol aspects (Release 5) 2002年6月
【００２３】
【発明が解決しようとする課題】
しかしながら、従来の無線基地局装置４０３において、目的に応じてどのような制御パラメータ値を設定するか、および、どのようなタイミングで制御信号を送出するかなどが規定されていないため、無線ネットワーク制御装置４０２からのデータ転送におけるデータ転送量を適切に制御することができないから、移動通信システム４００におけるデータ伝送の品質が良くないという問題があった。
【００２４】
本発明は、かかる点に鑑みてなされたものであり、移動通信システムにおけるデータ伝送の品質を向上させることができる無線基地局装置およびデータ転送方法を提供することを目的とする。
【００２５】
【課題を解決するための手段】
本発明の無線基地局装置は、データの転送を要求するための制御信号を無線ネットワーク制御装置に送出し、送出される前記制御信号に基づいて前記無線ネットワーク制御装置から転送される前記データを受信して一時的に蓄積し、蓄積された前記データを移動端末装置に転送する無線基地局装置において、前記制御信号が送出される時から前記制御信号に基づいて前記無線ネットワーク制御装置から転送される前記データを受信する時までの往復遅延時間である制御往復遅延時間を測定する時間測定手段と、前記データの前記移動端末装置への転送における下りデータ転送レートを測定するレート測定手段と、前記制御往復遅延時間および前記下りデータ転送レートに基づいて前記無線ネットワーク制御装置からの前記データの転送におけるデータ転送量を制御するためのデータ転送制御条件を設定する転送条件設定手段と、を具備する構成を採る。
【００２６】
この構成によれば、無線ネットワーク制御装置からのデータ転送におけるデータ転送量を適切に制御することができるから、無線基地局装置、無線ネットワーク制御装置および移動端末装置を具備する移動通信システムにおけるデータ伝送の品質を向上させることができる。
【００２７】
本発明の無線基地局装置は、上記構成において、前記転送条件設定手段が、前記制御往復遅延時間および前記下りデータ転送レートに基づいて前記無線ネットワーク制御装置からの前記データの転送を停止するための前記データ転送制御条件の一つであるデータ転送停止用閾値を決定する停止用閾値決定手段を具備する構成を採る。
【００２８】
この構成によれば、上記効果に加えて、無線基地局装置内に蓄積されたデータのデータ蓄積量が転送停止要求用閾値を超過した時に無線ネットワーク制御装置からの前記データの転送を停止するため、無線ネットワーク制御装置に対して制御信号を送出する頻度を低減することができるから、無線基地局装置、無線ネットワーク制御装置および移動端末装置を具備する移動通信システムにおけるデータ伝送の品質を向上させることができる。また、この構成によれば、無線基地局装置において要求されるデータ蓄積容量を削減することができる。
【００２９】
本発明の無線基地局装置は、上記構成において、前記転送条件設定手段は、前記制御往復遅延時間および前記下りデータ転送レートに基づいて前記無線ネットワーク制御装置からの前記データの転送を再開するための前記データ転送制御条件の一つであるデータ転送再開用閾値を決定する再開用閾値決定手段を具備する構成を採る。
【００３０】
この構成によれば、上記効果に加えて、無線基地局装置内に蓄積されたデータのデータ蓄積量が転送再開要求用閾値を下回った時に無線ネットワーク制御装置からの前記データの転送を再開するため、無線基地局装置から移動端末装置へのデータ転送におけるスループットを向上させることができるから、無線基地局装置、無線ネットワーク制御装置および移動端末装置を具備する移動通信システムにおける下り方向のデータ伝送の品質を向上させることができる。
【００３１】
本発明のデータ転送方法は、データの転送を要求するための制御信号を無線ネットワーク制御装置に送出し、送出される前記制御信号に従って前記無線ネットワーク制御装置から転送される前記データを受信して一時的に蓄積し、蓄積された前記データを移動端末装置に転送する基地局装置におけるデータ転送方法において、前記制御信号が送出される時から前記制御信号に従って前記無線ネットワーク制御装置から転送され蓄積された前記データを受信する時までの往復遅延時間である制御往復遅延時間を測定する時間測定ステップと、前記データの前記移動端末装置への転送における下りデータ転送レートを測定するレート測定ステップと、前記制御往復遅延時間および前記下りデータ転送レートに基づいて前記無線ネットワーク制御装置からの前記データの転送におけるデータ転送量を制御するためのデータ転送量制御条件を設定する転送条件設定ステップと、を具備するようにした。
【００３２】
この方法によれば、無線ネットワーク制御装置からのデータ転送におけるデータ転送量を適切に制御することができるから、無線基地局装置、無線ネットワーク制御装置および移動端末装置を具備する移動通信システムにおけるデータ伝送の品質を向上させることができる。
【００３３】
【発明の実施の形態】
本発明の骨子は、データの転送を要求するための制御信号が送出される時から前記制御信号に基づいて無線ネットワーク制御装置から転送されるデータを受信する時までの往復遅延時間である制御往復遅延時間および無線ネットワーク制御装置から転送され蓄積されたデータの移動端末装置への転送における下りデータ転送レートに基づいて、前記無線ネットワーク制御装置からの前記データの転送におけるデータ転送量を制御するためのデータ転送制御条件を設定することである。
【００３４】
以下、本発明の実施の形態について、図面を参照して詳細に説明する。
【００３５】
図１は、本発明の一実施の形態に係る無線基地局装置を具備する移動通信システムの構成を示すブロック図である。
【００３６】
図１に示す移動通信システム１００は、コアネットワーク１０１、無線ネットワーク制御装置１０２、無線基地局装置１０３および移動端末装置１０４を具備している。無線基地局装置１０３は、制御往復遅延時間測定部１１１、データ蓄積量測定部１１２、データ転送レート測定部１１３、データ転送条件設定部１１４、制御信号生成部１１５、送信部１１６、受信部１１７、データ処理部１１８、バッファ１１９、無線送信部１２０および無線受信部１２１を具備している。
【００３７】
無線ネットワーク制御装置１０２の入力端子は、コアネットワーク１０１に接続され、かつ、有線リンク１３１を介して送信部１１６に接続されている。制御往復遅延時間測定部１１１の入力端子は、送信部１１６および受信部１１７に接続されている。データ蓄積量測定部１１２の入力端子は、データ転送条件設定部１１４およびバッファ１１９に接続されている。データ転送レート測定部１１３の入力端子は、無線送信部１２０に接続されている。データ転送条件設定部１１４の入力端子は、制御往復遅延時間測定部１１１およびデータ転送レート測定部１１３に接続されている。
【００３８】
制御信号生成部１１５の入力端子は、データ蓄積量測定部１１２、データ転送条件設定部１１４およびデータ処理部１１８に接続されている。送信部１１６の入力端子は、制御信号生成部１１５および無線受信部１２１に接続されている。受信部１１７の入力端子は、有線リンク１３１を介して無線ネットワーク制御装置１０２に接続されている。データ処理部１１８の入力端子は、受信部１１７に接続されている。バッファ１１９の入力端子は、データ転送条件設定部１１４およびデータ処理部１１８に接続されている。無線送信部１２０の入力端子は、バッファ１１９および無線受信部１２１に接続されている。無線受信部１２１の入力端子は、無線リンク１３２を介して移動端末装置１０４に接続されている。移動端末装置１０４の入力端子は、無線リンク１３２を介して無線送信部１２０に接続されている。
【００３９】
コアネットワーク１０１は、移動端末装置１０４宛てのデータを無線ネットワーク制御装置１０２に転送する。無線ネットワーク制御装置１０２は、コアネットワーク１０１からのデータを一時的に蓄積する。
【００４０】
また、無線ネットワーク制御装置１０２は、移動端末装置１０４がデータ通信を開始したことを認知した時に、蓄積されたデータの無線基地局装置１０３への転送の開始の許可を要求するための信号（HS-DSCH Capacity Request Control Frame信号）である転送開始許可要求メッセージを生成して無線基地局装置１０３の受信部１１７に送出する。また、無線ネットワーク制御装置１０２は、送信部１１６からの転送開始許可メッセージを受信した時に、転送開始許可メッセージ内のクレジット値、インターバル値および反復期間値に基づいてデータの無線基地局装置１０３への転送を開始する。なお、クレジット値、インターバル値および反復期間値については後述する。
【００４１】
また、無線ネットワーク制御装置１０２は、送信部１１６からの転送停止要求メッセージを受信した時に、転送停止要求メッセージ内のクレジット値、インターバル値および反復期間値に基づいてデータの無線基地局装置１０３への転送を停止する。また、無線ネットワーク制御装置１０２は、送信部１１６からの転送再開要求メッセージを受信した時に、転送再開要求メッセージ内のクレジット値、インターバル値および反復期間値に基づいてデータの無線基地局装置１０３への転送を再開する。
【００４２】
なお、本実施の形態において、移動端末装置１０４がデータ通信を開始した時に、無線ネットワーク制御装置１０２は、転送開始許可要求メッセージを送出する構成を有している。ただし、無線ネットワーク制御装置１０２の構成はこれに限定されない。たとえば、移動端末装置１０４がデータ通信を開始した時に、無線ネットワーク制御装置１０２は、レイヤ３プロトコルであるＲＲＣ（Radio Resource Control）によってコネクションが設定されたことを示す信号を生成して送出する構成であっても良い。
【００４３】
制御往復遅延時間測定部１１１は、無線基地局装置１０３および無線ネットワーク制御装置１０２の間における制御の往復遅延時間である制御往復遅延時間を測定して、制御往復遅延時間をデータ転送条件設定部１１４に出力する。より具体的には、制御往復遅延時間測定部１１１は、送信部１１６によって転送開始許可メッセージが送出される時から受信部１１７において無線ネットワーク制御装置１０２から転送されたデータの受信が開始される時までの時間を測定することにより制御往復遅延時間を測定する。
【００４４】
なお、制御往復遅延時間測定部１１１は、送信部１１６によって転送停止要求メッセージが送出される時から受信部１１７において無線ネットワーク制御装置１０２からのデータの受信が停止される時までの時間を測定することにより制御往復遅延時間を測定しても良い。この場合、送信部１１６によって転送停止要求メッセージが送出される時から無線ネットワーク制御装置１０２からペイロード部が空のデータ（データフレーム信号）が受信される時までの時間を測定することにより制御往復遅延時間を測定する。
【００４５】
また、制御往復遅延時間測定部１１１は、送信部１１６によって転送再開要求メッセージが送出される時から受信部１１７において無線ネットワーク制御装置１０２からのデータの受信が再開される時までの時間を測定することにより制御往復遅延時間を測定しても良い。
【００４６】
また、データ転送条件設定部１１４に出力される制御往復遅延時間は、リアルタイムの制御往復遅延時間でも良いし、所定期間において測定された複数の制御往復遅延時間の平均値でも良いし、また、所定期間において測定された複数の制御往復遅延時間の最大値でも良い。
【００４７】
また、本実施の形態において、制御往復遅延時間測定部１１１は、何らかのメッセージが送信部１１６から送出される度に制御往復遅延時間を測定する構成を有している。ただし、制御往復遅延時間測定部１１１の構成は、これに限定されない。たとえば、制御往復遅延時間測定部１１１は、無線基地局装置１０３において最大の制御往復遅延時間が保証されている場合、その最大の制御往復遅延時間を用いる構成であっても良い。
【００４８】
データ蓄積量測定部１１２は、バッファ１１９によって蓄積されたデータのデータ蓄積量を測定する。また、データ蓄積量測定部１１２は、データ転送条件設定部１１４からの転送停止要求用閾値および転送再開要求用閾値を受信する。また、データ蓄積量測定部１１２は、測定されたデータ蓄積量をデータ転送条件設定部１１４からの転送停止要求用閾値と比較することにより、無線ネットワーク制御装置１０２からのデータ転送を停止させるか否かを判定する。この比較の結果、測定されたデータ蓄積量が転送停止要求用閾値より大きい場合に、データ蓄積量測定部１１２は、この比較結果（以下、「第１比較結果」と言う）を制御信号生成部１１５に報告する。また、データ蓄積量測定部１１２は、測定されたデータ蓄積量をデータ転送条件設定部１１４からの転送再開要求用閾値と比較することにより、無線ネットワーク制御装置１０２からのデータ転送を再開させるか否かを判定する。この比較の結果、測定されたデータ蓄積量が転送再開要求用閾値より小さい場合に、データ蓄積量測定部１１２は、この比較結果（以下、「第２比較結果」と言う）を制御信号生成部１１５に報告する。
【００４９】
データ転送レート測定部１１３は、無線送信部１２０がバッファ１１９に蓄積されたデータを読み出す速度を測定することにより無線送信部１２０から移動端末装置１０４へのデータ転送における下りデータ転送レートを測定する。データ転送レート測定部１１３は、測定された下りデータ転送レートをデータ転送条件設定部１１４に出力する。
【００５０】
また、データ転送レート測定部１１３は、無線送信部１２０によるデータの読み出しが行われていない時に、所定の値を下りデータ転送レートとしてデータ転送条件設定部１１４に出力する。
【００５１】
なお、下りデータ転送レートとして出力される所定の値の一例として、無線基地局装置１０３において保証される平均セクタスループットの値、Qos[Quality of service]保証などによって保証される下りデータ転送レートの値、または１つの移動端末装置に割り当てることができる最大の下りデータ転送レートの値などが挙げられる。
【００５２】
また、データ転送条件設定部１１４に出力される下りデータ転送レートは、リアルタイムの下りデータ転送レートでも良いし、所定期間において測定された複数の下りデータ転送レートの平均値でも良いし、また、所定期間において測定された複数の下りデータ転送レートの最大値でも良い。
【００５３】
データ転送条件設定部１１４は、制御往復遅延時間測定部１１１からの制御往復遅延時間およびデータ転送レート測定部１１３からの下りデータ転送レートに基づいて無線ネットワーク制御装置１０２からのデータ転送におけるデータ転送量を制御するためのデータ転送制御条件を設定する。
【００５４】
ここで、データ転送条件設定部１１４によるデータ転送制御条件の設定について説明する。データ転送条件設定部１１４は、データ転送レート測定部１１３からの下りデータ転送レートに基づいて無線ネットワーク制御装置１０２からのデータ転送を制御するための制御パラメータ値として、１回のデータ転送処理において転送すべきデータの量を示すクレジット（Credits）値、当該データ転送処理を実行する時間間隔を示すインターバル（Interval）値および当該データ転送処理を実行する回数を示す反復期間（Repetition Period）値を設定する。データ転送条件設定部１１４は、制御信号生成部１１５によって生成される転送開始許可メッセージ、転送停止要求メッセージおよび転送再開要求メッセージの各々において用いられる制御パラメータ値（クレジット値、インターバル値および反復期間値）を設定する。
【００５５】
また、データ転送条件設定部１１４は、制御往復遅延時間測定部１１１からの制御往復遅延時間およびデータ転送レート測定部１１３からの下りデータ転送レートに基づいて、無線ネットワーク制御装置１０２からのデータ転送を再開するためのデータ転送制御条件の一つとして、無線ネットワーク制御装置１０２からのデータ転送を再開させるか否かの判定における基準として用いられるバッファ１１９のデータ蓄積量である転送再開要求用閾値を設定する。また、データ転送条件設定部１１４は、制御往復遅延時間測定部１１１からの制御往復遅延時間およびデータ転送レート測定部１１３からの下りデータ転送レートに基づいて、無線ネットワーク制御装置１０２からのデータ転送を停止するためのデータ転送制御条件の一つとして、無線ネットワーク制御装置１０２からのデータ転送を停止させるか否かの判定における基準として用いられるバッファ１１９のデータ蓄積量である転送停止要求用閾値を設定する。また、データ転送条件設定部１１４は、制御往復遅延時間測定部１１１からの制御往復遅延時間およびデータ転送レート測定部１１３からの下りデータ転送レートに基づいて、移動端末装置１０４へのデータ転送に割り当てられるバッファ１１９のサイズ（データ蓄積容量）を設定する。
【００５６】
このように、制御往復遅延時間測定部１１１からの制御往復遅延時間およびデータ転送レート測定部１１３からの下りデータ転送レートに基づいて転送停止要求用閾値を設定するため、無線基地局装置１０３内のバッファ１１９に蓄積されたデータのデータ蓄積量が転送停止要求用閾値を超過した時に無線ネットワーク制御装置１０２からのデータ転送を停止することができる。このため、無線ネットワーク制御装置１０２に対して制御信号を送出する頻度を低減することができるから、移動通信システム１００におけるデータ伝送の品質を向上させることができる。さらに、無線基地局装置１０３において要求されるデータ蓄積容量（すなわちバッファ１１９のサイズ）を削減することができる。
【００５７】
さらに、制御往復遅延時間測定部１１１からの制御往復遅延時間およびデータ転送レート測定部１１３からの下りデータ転送レートに基づいて転送再開要求用閾値を設定するため、無線基地局装置１０３内のバッファ１１９に蓄積されたデータのデータ蓄積量が転送再開要求用閾値を下回った時に無線ネットワーク制御装置１０２からのデータ転送を再開することができる。このため、無線基地局装置１０３から移動端末装置１０４へのデータ転送におけるスループットを向上させることができるから、移動通信システム１００におけるデータ伝送の品質を向上させることができる。
【００５８】
また、データ転送条件設定部１１４は、転送開始許可メッセージ用に設定された制御パラメータ値、転送停止要求メッセージ用に設定された制御パラメータ値および転送再開要求メッセージ用に設定された制御パラメータ値の各々を制御信号生成部１１５に出力する。また、データ転送条件設定部１１４は、設定された転送再開要求用閾値および転送停止要求用閾値をデータ蓄積量測定部１１２に出力する。また、データ転送条件設定部１１４は、設定されたバッファ１１９のサイズをバッファ１１９に出力する。
【００５９】
制御信号生成部１１５は、転送開始許可メッセージ用に設定された制御パラメータ値、転送停止要求メッセージ用に設定された制御パラメータ値および転送再開要求メッセージ用に設定された制御パラメータ値の各々をデータ転送条件設定部１１４から受信する。また、制御信号生成部１１５は、データ蓄積量測定部１１２からの第１比較結果の報告を受信する。また、制御信号生成部１１５は、データ蓄積量測定部１１２からの第２比較結果の報告を受信する。また、制御信号生成部１１５は、データ処理部１１８からの転送開始許可要求メッセージを受信する。
【００６０】
また、制御信号生成部１１５は、データ処理部１１８から転送開始許可要求メッセージを受信した時に、データ転送条件設定部１１４からの転送開始許可メッセージ用に設定された制御パラメータ値を有する制御信号（HS-DSCH Capacity Allocation Control Frame信号）である転送開始許可メッセージを生成して送信部１１６に出力する。また、制御信号生成部１１５は、データ蓄積量測定部１１２から第１比較結果の報告を受けた時に、データ転送条件設定部１１４からの転送停止要求メッセージ用に設定された制御パラメータ値を有する制御信号（HS-DSCH Capacity Allocation Control Frame信号）である転送停止要求メッセージを生成して送信部１１６に出力する。また、制御信号生成部１１５は、データ蓄積量測定部１１２から第２比較結果の報告を受けた時に、データ転送条件設定部１１４からの転送停止要求メッセージ用に設定された制御パラメータ値を有する制御信号（HS-DSCH Capacity Allocation Control Frame信号）である転送再開要求メッセージを生成して送信部１１６に出力する。
【００６１】
ここで、制御パラメータ値のうちクレジット値は、無線ネットワーク制御装置１０２からの１回のデータ転送処理において転送されるデータの量を示す。また、制御パラメータ値のうちインターバル値は、無線ネットワーク制御装置１０２からクレジット値により示された量のデータを転送するデータ転送処理を実行する時間間隔を示す。また、制御パラメータ値のうち反復期間値は、クレジット値により示された量のデータを転送するデータ転送処理を実行する回数を示す。
【００６２】
なお、本実施の形態において、転送開始許可メッセージ用に設定されるクレジット値および転送再開要求メッセージ用に設定されるクレジット値の各々は、時々刻々と変化する下りデータ転送レートに合わせて変動するものでも良いし、固定値を用いても良い。また、転送停止要求メッセージ用に設定されるクレジット値は固定値（たとえばゼロ）である。
【００６３】
送信部１１６は、制御信号生成部１１５からの転送開始許可メッセージを有線リンク１３１を介して無線ネットワーク制御装置１０２に送出する。また、送信部１１６は、制御信号生成部１１５からの転送停止要求メッセージを有線リンク１３１を介して無線ネットワーク制御装置１０２に送出する。また、送信部１１６は、制御信号生成部１１５からの転送再開要求メッセージを有線リンク１３１を介して無線ネットワーク制御装置１０２に送出する。また、送信部１１６は、無線受信部１２１からのユーザデータを有線リンク１３１を介して無線ネットワーク制御装置１０２に送出する。
【００６４】
受信部１１７は、無線ネットワーク制御装置１０２から転送されたデータを受信してデータ処理部１１８に出力する。また、受信部１１７は、無線ネットワーク制御装置１０２から送出された転送開始許可要求メッセージを受信してデータ処理部１１８に出力する。
【００６５】
データ処理部１１８は、受信部１１７からの転送開始許可要求メッセージを制御信号生成部１１５に出力する。また、データ処理部１１８は、受信部１１７からのデータをバッファ１１９に書き込む。
【００６６】
バッファ１１９は、データ転送条件設定部１１４から受信したサイズを移動端末装置１０４へのデータ転送に割り当てる。また、バッファ１１９は、データ処理部１１８によって書き込まれたデータを一時的に蓄積する。
【００６７】
無線送信部１２０は、無線受信部１２１からの制御情報に基づいて移動端末装置１０４へのデータ転送における下りデータ転送レートを決定する。そして、無線送信部１２０は、決定された下りデータ転送レートに合わせた速度でバッファ１１９に蓄積されたデータを読み出して、読み出されたデータを決定された下りデータ転送レートで移動端末装置１０４へ無線リンク１３２を介して転送する。
【００６８】
無線受信部１２１は、無線送信部１２０による下りデータ転送レートの決定において必要な制御情報を移動端末装置１０４から無線リンク１３２を介して受信した時に、制御情報を無線送信部１２０に出力する。また、無線受信部１２１は、ユーザデータを移動端末装置１０４から無線リンク１３２を介して受信した時に、ユーザデータを送信部１１６に出力する。
【００６９】
次いで、上記構成を有する移動通信システム１００におけるデータ転送条件設定部１１４の動作について説明する。図２は、本発明の一実施の形態に係る無線基地局装置１０３におけるデータ転送条件設定部１１４の動作の一例を説明するためのフロー図である。
【００７０】
まず、ステップＳＴ２０１において、データ転送条件設定部１１４は、データ転送レート測定部１１３からの下りデータ転送レートＴＲに基づいて、転送開始許可メッセージ用、転送停止要求メッセージ用および転送再開要求メッセージ用の３通りのクレジット値Ｃ、インターバル値Ｉおよび反復期間値Ｒの組み合わせ（すなわち制御パラメータ値）を設定する。そして、データ転送条件設定部１１４は、設定された３通りの組み合わせを制御信号生成部１１５に出力する。
【００７１】
より具体的には、データ転送条件設定部１１４は、転送開始許可メッセージ用の制御パラメータ値として、有線リンク１３１における下り方向のデータ転送レートが下りデータ転送レートＴＲと等しくなるようにクレジット値Ｃ、インターバル値Ｉおよび反復期間値Ｒを設定する。また、データ転送条件設定部１１４は、転送停止要求メッセージ用の制御パラメータ値として、クレジット値をゼロに設定する。また、データ転送条件設定部１１４は、転送開始許可メッセージ用に設定された制御パラメータ値を転送再開要求メッセージ用の制御パラメータ値に設定する。
【００７２】
なお、データ転送条件設定部１１４は、転送開始許可メッセージ用の制御パラメータ値として、有線リンク１３１における下り方向のデータ転送レートが下りデータ転送レートＴＲ以上の値になるようにクレジット値Ｃ、インターバル値Ｉおよび反復期間Ｒを設定しても良い。また、データ転送条件設定部１１４は、転送開始許可メッセージ用の制御パラメータ値と異なる制御パラメータ値を転送再開要求メッセージ用に設定しても良い。
【００７３】
また、データ転送条件設定部１１４は、上記の３通りの制御パラメータ値を同時に設定しても良いし、また、異なるタイミングで設定しても良い。
【００７４】
そして、ステップＳＴ２０２において、データ転送条件設定部１１４は、下りデータ転送レートＴＲおよび制御往復遅延時間測定部１１１からの制御往復遅延時間ＲＴＤに基づいて、無線ネットワーク制御装置１０２からのデータ転送を再開するためのデータ転送制御条件の一つとして、無線ネットワーク制御装置１０２からのデータ転送を再開させるか否かの判定における基準として用いられるバッファ１１９のデータ蓄積量である転送再開要求用閾値ＴＨｒを設定する。そして、データ転送条件設定部１１４は、設定された転送再開要求用閾値ＴＨｒをデータ蓄積量測定部１１２に出力する。
【００７５】
より具体的には、データ転送条件設定部１１４は、次の（式１）を用いて、制御往復遅延時間ＲＴＤ内に無線リンク１３２へ転送されるデータの量を算出することにより転送再開要求用閾値ＴＨｒを設定する。
ＴＨｒ＝ＲＴＤ×ＴＲ  …  （式１）
【００７６】
なお、データ転送条件設定部１１４は、（式１）における演算によって得られた値より大きい値をＴＨｒとして設定しても良い。
【００７７】
そして、ステップＳＴ２０３において、データ転送条件設定部１１４は、転送再開要求用閾値ＴＨｒ、転送開始許可メッセージ用または転送再開要求メッセージ用に設定された制御パラメータ値および下りデータ転送レートＴＲに基づいて、無線ネットワーク制御装置１０２からのデータ転送を停止するためのデータ転送制御条件の一つとして、無線ネットワーク制御装置１０２からのデータ転送を停止させるか否かの判定における基準として用いられるバッファ１１９のデータ蓄積量である転送停止要求用閾値ＴＨｓを設定する。そして、データ転送条件設定部１１４は、設定された転送停止要求用閾値ＴＨｓをデータ蓄積量測定部１１２に出力する。
【００７８】
より具体的には、データ転送条件設定部１１４は、次の（式２）を用いて、制御パラメータ値のうちインターバル値Ｉによって指定された期間内に無線リンク１３２へ転送されるデータの量を加算することにより転送停止要求用閾値ＴＨｓを設定する。
ＴＨｓ＝ＴＨｒ＋Ｉ×ＴＲ  …  （式２）
【００７９】
なお、データ転送条件設定部１１４は、（式２）における演算によって得られた値より大きい値をＴＨｓとして設定しても良い。
【００８０】
そして、ステップＳＴ２０４において、データ転送条件設定部１１４は、転送再開要求用閾値ＴＨｒ、転送停止要求用閾値ＴＨｓおよび転送開始許可メッセージ用または転送再開要求メッセージ用に設定された制御パラメータ値に基づいて、移動端末装置１０４へのデータ転送に割り当てられるバッファ１１９のサイズＳを設定する。そして、データ転送条件設定部１１４は、設定されたバッファ１１９のサイズＳをバッファ１１９に出力する。
【００８１】
より具体的には、データ転送条件設定部１１４は、次の（式３）を用いて、転送停止要求用閾値ＴＨｓに制御往復遅延時間ＲＴＤ内に無線ネットワーク制御装置１０２から転送されるデータの量を加算して、さらに、転送再開要求用閾値ＴＨｒを減算することによりサイズＳを設定する。
Ｓ＝ＴＨｓ＋（ＲＴＤ×Ｃ／Ｉ）−ＴＨｒ  …  （式３）
【００８２】
なお、データ転送条件設定部１１４は、（式３）における演算によって得られた値より大きい値をサイズＳとして設定しても良い。
【００８３】
次いで、本発明の一実施の形態に係る無線基地局装置１０３および無線ネットワーク制御装置１０２の間でのデータ転送動作の一例について図３を用いて説明する。
【００８４】
まず、時刻ｔ０において、無線ネットワーク制御装置１０２において、移動端末装置１０４がデータ通信を開始したことが認知される。そして、転送開始許可要求メッセージが生成されて無線基地局装置１０３に対して送出される。
【００８５】
そして、無線基地局装置１０３において、前記転送開始許可要求メッセージが受信されると、時刻ｔ１において、予め設定された所定の値をデータ通信開始時の無線基地局装置１０３から移動端末装置１０４へのデータ転送における下りデータ転送レートとして、前記下りデータ転送レートに基づいて転送開始許可メッセージ用の制御パラメータ値（クレジット値、インターバル値および反復期間値）が設定される。そして、設定された制御パラメータ値を有する転送開始許可メッセージが生成されて無線ネットワーク制御装置１０２に対して送出される。この時、制御往復遅延時間の測定が開始される。
【００８６】
そして、無線ネットワーク制御装置１０２において、前記転送開始許可メッセージが受信されると、時刻ｔ２において、前記転送開始許可メッセージ内のクレジット値によって指定された量のデータを転送するデータ転送処理がインターバル値によって指定された時間間隔で反復期間値によって指定された回数だけ実行される。なお、ここでは、反復期間値は無制限に設定される。
【００８７】
なお、無線ネットワーク制御装置１０２は、クレジット値によって指定された量のデータを一つのデータフレーム信号に格納できない場合、インターバル値によって指定された期間内においてクレジット値によって指定された量のデータを複数のデータフレーム信号に分割して転送しても良い。
【００８８】
そして、無線基地局装置１０３において、前記転送開始許可メッセージに基づいて無線ネットワーク制御装置１０２から転送されたデータの受信が開始されると、時刻ｔ３において、制御往復遅延時間が測定される。また、前記下りデータ転送レートに基づいて、転送停止要求メッセージ用および転送再開要求メッセージ用の制御パラメータ値を設定する。また、測定された制御往復遅延時間および測定された下りデータ転送レートまたは下りデータ転送レートの初期値に基づいて、転送停止用閾値、転送再開用閾値およびバッファ１１９のサイズの各々が設定される。
【００８９】
なお、時刻ｔ３より前に制御往復遅延時間を測定することができる場合、そのタイミングにおいて制御パラメータ値、転送停止用閾値、転送再開用閾値およびバッファ１１９のサイズの各々が設定されるような動作が行われても良い。
【００９０】
そして、時刻ｔ４において、無線基地局装置１０３において、バッファ１１９に蓄積されたデータのデータ蓄積量が前記転送停止用閾値を超過したことが検出された時、転送停止要求メッセージが生成されて無線ネットワーク制御装置１０２に対して送出される。
【００９１】
そして、無線ネットワーク制御装置１０２において、前記転送停止要求メッセージが受信されると、時刻ｔ５において、無線基地局装置１０３に対するデータ転送が停止される。一方、無線基地局装置１０３において、バッファ１１９に蓄積されたデータの移動端末装置１０４への転送は継続される。
【００９２】
そして、無線基地局装置１０３において、時刻ｔ６において、バッファ１１９に蓄積されたデータのデータ蓄積量が前記転送再開用閾値を下回ったことが検出された時、転送再開要求メッセージが生成されて無線ネットワーク制御装置１０２に対して送出される。
【００９３】
なお、転送再開要求メッセージ用の制御パラメータ値は、時刻ｔ６において再設定されても良いし、また、時刻ｔ１において設定された転送開始許可メッセージ用の制御パラメータ値を用いても良い。
【００９４】
そして、無線ネットワーク制御装置１０２において、前記転送再開要求メッセージが受信されると、時刻ｔ７において、転送再開要求メッセージ内の制御パラメータ値に基づいて無線基地局装置１０３に対するデータ転送が再開される。
【００９５】
このように、本発明の一実施の形態によれば、転送開始許可メッセージが送出される時から無線ネットワーク制御装置１０２から転送されるデータを受信する時までの制御往復遅延時間および無線ネットワーク制御装置１０２から転送され蓄積されたデータの移動端末装置１０４への転送における下りデータ転送レートに基づいて無線ネットワーク制御装置１０２からのデータ転送におけるデータ転送量を制御するためのデータ転送制御条件を設定するため、無線ネットワーク制御装置１０２からのデータ転送におけるデータ転送量を適切に制御することができるから、移動通信システム１００におけるデータ伝送の品質を向上させることができる。
【００９６】
【発明の効果】
以上説明したように、本発明によれば、無線ネットワーク制御装置からのデータ転送におけるデータ転送量を適切に制御することができるから、無線基地局装置、無線ネットワーク制御装置および移動端末装置を具備する移動通信システムにおけるデータ伝送の品質を向上させることができる。
【図面の簡単な説明】
【図１】本発明の一実施の形態に係る無線基地局装置を具備する移動通信システムの構成を示すブロック図
【図２】本発明の一実施の形態に係る無線基地局装置におけるデータ転送条件設定部の動作の一例を説明するためのフロー図
【図３】本発明の一実施の形態に係る無線基地局装置および無線ネットワーク制御装置におけるデータ転送動作の一例を説明するための図
【図４】従来の無線基地局装置を具備する移動通信システムの構成の一例を示すブロック図
【図５】従来の無線基地局装置および無線ネットワーク制御装置におけるデータ転送動作の一例を説明するための図
【符号の説明】
１００  移動通信システム
１０１  コアネットワーク
１０２  無線ネットワーク制御装置
１０３  無線基地局装置
１０４  移動端末装置
１１１  制御往復遅延時間測定部
１１２  データ蓄積量測定部
１１３  データ転送レート測定部
１１４  データ転送条件設定部
１１５  制御信号生成部
１１６  送信部
１１７  受信部
１１８  データ処理部
１１９  バッファ
１２０  無線送信部
１２１  無線受信部
１３１  有線リンク
１３２  無線リンク
【図１】
2004200886.tif 000003
【図２】
2004200886.tif 000004
【図３】
2004200886.tif 000005
【図４】
2004200886.tif 000006
【図５】
2004200886.tif 000007